(57)【要約】      （修正有）【課題】包装を解くことなく、適切な包装が行われていることを確認することができるようにする。【解決手段】包装物１０を構成する包装箱１１に第１のＲＦ−ＩＤタグユニット１１ａが、そのタグユニットに含まれるタグアンテナの指向性の方向が包装物の外側を向くように固定される。包装物を構成する他の物品についても同様である。各ＲＦ−ＩＤタグユニットと近距離に、第１のリーダアンテナ２１ａが、指向性の方向が各ＲＦ−ＩＤタグユニットを向くように設置される。制御パソコンは、第１のリーダアンテナによって読み出された各ＲＦ−ＩＤタグユニットに含まれるＲＦ−ＩＤタグの識別子を参照して、包装物が適切に包装されているか否かを判断する。【選択図】図１
2008201447.tif 000002
【特許請求の範囲】
【請求項１】
自ＲＦ−ＩＤタグを識別する情報が記憶される第１のＲＦ−ＩＤタグと、その第１のＲＦ−ＩＤタグと接続された第１のアンテナとが固定された第１の物品と、自ＲＦ−ＩＤタグを識別する情報が記憶される第２のＲＦ−ＩＤタグと、その第２のＲＦ−ＩＤタグと接続された第２のアンテナとが固定された第２の物品とが包装され、
前記第１のアンテナ及び前記第２のアンテナは、それらのアンテナの指向性の方向が直交する向きに、それぞれ前記第１の物品及び前記第２の物品に固定され、または、前記第１のアンテナ及び前記第２のアンテナは、それらのアンテナ間の距離が所定の大きさを超える位置に、それぞれ前記第１の物品及び前記第２の物品に固定され、
前記第１のＲＦ−ＩＤタグは、所定の電磁波がその第１のＲＦ−ＩＤタグに接続された前記第１のアンテナによって受信されると、その第１のＲＦ−ＩＤタグを識別する情報が含まれる電磁波をその第１のアンテナから送信させ、
前記第２のＲＦ−ＩＤタグは、所定の電磁波がその第２のＲＦ−ＩＤタグに接続された前記第２のアンテナによって受信されると、その第２のＲＦ−ＩＤタグを識別する情報が含まれる電磁波をその第２のアンテナから送信させる
ことを特徴とする包装物。
【請求項２】
前記物品は、電磁波を透過させる材料によって作られた包装箱を含み、
前記包装箱には、その包装箱によって包装された前記物品を識別する情報が視認可能に記載された
ことを特徴とする請求項１に記載の包装物。
【請求項３】
仕切り材を更に有し、
前記物品は、前記仕切り材に設けられたその物品の形状に対応する形状の凹みに挿入されて包装された
ことを特徴とする請求項１に記載の包装物。
【請求項４】
前記物品は、前記ＲＦ−ＩＤタグが固定されたコネクタが接続されたケーブルを含み、
前記コネクタは、前記仕切り材に設けられたそのコネクタの形状に対応する形状の凹みに挿入されて包装された
ことを特徴とする請求項３に記載の包装物。
【請求項５】
ＲＦ−ＩＤタグを識別する情報と、包装物に包装された物品を識別する情報とが関連付けられた情報が記憶されるタグ情報記憶手段と、
第１のＲＦ−ＩＤリーダアンテナと、
前記第１のＲＦ−ＩＤリーダアンテナの指向性の方向と直交する方向に指向性が向く位置に、または、前記第１のＲＦ−ＩＤリーダアンテナとの間の距離が所定の大きさを超える位置に設置された第２のＲＦ−ＩＤリーダアンテナと、
前記第１のＲＦ−ＩＤリーダアンテナ及び前記第２のＲＦ−ＩＤリーダアンテナを介してＲＦ−ＩＤタグを識別する情報を読み出す１つまたは２つのＲＦ−ＩＤリーダと、
前記ＲＦ−ＩＤリーダによって読み出されたＲＦ−ＩＤタグを識別する２つの情報のそれぞれと関連付けられて前記タグ情報記憶手段に記憶された前記物品を識別する情報を検索し、それらの検索された物品を識別する２つの情報が所定の情報である場合、前記包装物は適切な物品が包装されたものであると判断し、それらの検索された物品を識別する２つの情報が前記所定の情報でない場合、前記包装物は適切な物品が包装されたものでないと判断する包装良否判断手段とを有する
ことを特徴とする包装物確認装置。
【発明の詳細な説明】
【技術分野】
【０００１】
本発明は、包装物及び包装物確認装置に係り、特に適切な物品が包装されていることの確認処理に関する。
【背景技術】
【０００２】
例えば、商品の出荷等に際し、１つの商品が複数の物品からなっている場合、それらの物品を包装して、１つの包装物にすることが知られている。例えば、１つの商品は、１台の移動通信端末装置であり、その装置は、１つの本体と、１つの電池と、１つの充電台と、充電台と商用電源との結合に用いられる１本のケーブルと、１冊の取扱説明書とからなる。
【０００３】
包装は、包装材によって行われる。なお、包装とは、例えば、包装箱に梱包すること、包装用紙で包むこと、包装用バンドで結束することなどである。即ち、包装材とは、包装箱、包装用紙、包装用バンドなどである。
【０００４】
この包装に際して、適切な物品及び包装材の組合せが必須である。即ち、まず、必要な物品が必要な数だけ包装されている必要がある。また、物品と、包装材との対応が正しいことが必要である。例えば、本体の製造番号が記載された包装材を用いる場合がある。また、本体の色が白色であれば、白色の本体が包装されている旨が印刷された包装材を用いる場合がある。
【０００５】
必要な物品が包装されるために、例えば、仕切り材を用い、仕切り材には、必要な物品のみが挿入される凹部を設けることも有効である。しかしながら、本体の製造番号や、色に応じて異なった包装材を用いる場合、この仕切り材の形状の工夫は有効ではない。なぜなら、製造番号や、色が異なっても、本体の形状は同一だからである。
【０００６】
商品の製造にあたり、上記の組合せが正しいことを、包装を解かず、例えば、包装箱を開けることなく確認することが望まれる。そのために、それぞれの物品にＲＦ−ＩＤタグを付し、ＲＦ−ＩＤリーダ装置が包装物の外部からそれぞれのＲＦ−ＩＤタグに記憶された情報を読み出すことによって、適切な物品が包装されていることを確認する方法が知られている（例えば、特許文献１参照。）。
【特許文献１】特開２００４−３３８７４４号公報（第２頁、図１）
【発明の開示】
【発明が解決しようとする課題】
【０００７】
しかしながら、上述した特許文献１に開示されている方法では、全てのＲＦ−ＩＤタグに記憶された情報を読み出すことができないことがある問題点があった。この問題点が生じる場合は、例えば、ＲＦ−ＩＤタグに付されたアンテナの指向性の方向が、ＲＦ−ＩＤリーダ装置から送信された電磁波を充分な強度で受信できない方向である場合である。また、複数のＲＦ−ＩＤタグに付されたアンテナが隣接しているため、それぞれのアンテナがＲＦ−ＩＤリーダ装置から送信された電磁波を充分な強度で受信できない場合である。
【０００８】
本発明は、上記問題点を解決するためになされたもので、包装を解くことなく、適切な包装が行われていることを確認することができる包装物及び包装物確認装置を提供することを目的とする。
【課題を解決するための手段】
【０００９】
上記目的を達成するために、本発明の包装物は、自ＲＦ−ＩＤタグを識別する情報が記憶される第１のＲＦ−ＩＤタグと、その第１のＲＦ−ＩＤタグと接続された第１のアンテナとが固定された第１の物品と、自ＲＦ−ＩＤタグを識別する情報が記憶される第２のＲＦ−ＩＤタグと、その第２のＲＦ−ＩＤタグと接続された第２のアンテナとが固定された第２の物品とが包装され、前記第１のアンテナ及び前記第２のアンテナは、それらのアンテナの指向性の方向が直交する向きに、それぞれ前記第１の物品及び前記第２の物品に固定され、または、前記第１のアンテナ及び前記第２のアンテナは、それらのアンテナ間の距離が所定の大きさを超える位置に、それぞれ前記第１の物品及び前記第２の物品に固定され、前記第１のＲＦ−ＩＤタグは、所定の電磁波がその第１のＲＦ−ＩＤタグに接続された前記第１のアンテナによって受信されると、その第１のＲＦ−ＩＤタグを識別する情報が含まれる電磁波をその第１のアンテナから送信させ、前記第２のＲＦ−ＩＤタグは、所定の電磁波がその第２のＲＦ−ＩＤタグに接続された前記第２のアンテナによって受信されると、その第２のＲＦ−ＩＤタグを識別する情報が含まれる電磁波をその第２のアンテナから送信させることを特徴とする。
【００１０】
また、本発明の包装物確認装置は、ＲＦ−ＩＤタグを識別する情報と、包装物に包装された物品を識別する情報とが関連付けられた情報が記憶されるタグ情報記憶手段と、第１のＲＦ−ＩＤリーダアンテナと、前記第１のＲＦ−ＩＤリーダアンテナの指向性の方向と直交する方向に指向性が向く位置に、または、前記第１のＲＦ−ＩＤリーダアンテナとの間の距離が所定の大きさを超える位置に設置された第２のＲＦ−ＩＤリーダアンテナと、前記第１のＲＦ−ＩＤリーダアンテナ及び前記第２のＲＦ−ＩＤリーダアンテナを介してＲＦ−ＩＤタグを識別する情報を読み出す１つまたは２つのＲＦ−ＩＤリーダと、前記ＲＦ−ＩＤリーダによって読み出されたＲＦ−ＩＤタグを識別する２つの情報のそれぞれと関連付けられて前記タグ情報記憶手段に記憶された前記物品を識別する情報を検索し、それらの検索された物品を識別する２つの情報が所定の情報である場合、前記包装物は適切な物品が包装されたものであると判断し、それらの検索された物品を識別する２つの情報が前記所定の情報でない場合、前記包装物は適切な物品が包装されたものでないと判断する包装良否判断手段とを有することを特徴とする。
【発明の効果】
【００１１】
本発明によれば、包装を解くことなく、適切な包装が行われていることを確認することができる。
【発明を実施するための最良の形態】
【００１２】
以下に、本発明による包装物及び包装物確認装置の実施の形態を、図面を参照して説明する。図１は、本発明の実施形態に係る包装物及び包装物確認装置からなる包装物確認システムの構成を示すブロック図であり、一部は外観図を兼ねる。
【００１３】
この包装物確認システムは、包装物１０と、包装物１０は適切に物品が包装されているか否かを確認する包装物確認装置２０とが相対的に所定の位置に置かれてなる。そして、包装物１０の製造工程の１つの段階において構成されるシステムである。
【００１４】
なお、所定の位置に置かれる際、包装物確認装置２０は固定され、包装物１０が移動されるが、これに限るものではない。包装物確認装置２０の一部、または全部が移動しても良い。上記移動は、作業者の手によっても良い。所定の位置に置かれるため、包装物確認装置２０は、包装物１０が置かれる所定の形状の台（図示せず）を有しても良い。また、上記移動は、移動装置（図示せず）によって行われても良い。
【００１５】
包装物１０は、略直方体の紙製、例えば、段ボール製の箱である包装箱１１と、包装箱１１の右側の外面であって、手前から離れた位置に固定、例えば、接着された第１のＲＦ−ＩＤタグユニット１１ａと、包装箱１１内に包装された物品とからなる。包装箱１１内に包装された物品については、後述する。
【００１６】
第１のＲＦ−ＩＤタグユニット１１ａは、包装箱１１の外側に接着されているとしたが、これに限るものではない。包装箱１１の内側に接着されても良く、また、包装箱１１を構成する段ボール材の内部に接着されても良い。また、接着されることに限るものではなく、繋止されても良い。
【００１７】
要するに、包装物１０がこの包装物確認システムを構成する際に、第１のＲＦ−ＩＤタグユニット１１ａは、包装物１０内の、所定の位置から許容される誤差範囲の位置に許容される誤差角度で固定されていれば良い。なお、包装箱１１がこの包装物確認システムから分離された際、第１のＲＦ−ＩＤタグユニット１１ａは、包装箱１１から容易に取り外し可能であっても良い。
【００１８】
包装物確認装置２０は、第１のリーダアンテナ２１ａが接続された第１のＲＦ−ＩＤリーダ部２１と、第２のリーダアンテナ２２ａが接続された第２のＲＦ−ＩＤリーダ部２２と、第３のリーダアンテナ２３ａが接続された第３のＲＦ−ＩＤリーダ部２３と、第４のリーダアンテナ２４ａが接続された第４のＲＦ−ＩＤリーダ部２４と、第ｉのＲＦ−ＩＤリーダ部２ｉ（ｉは、１〜４の整数。）と接続された制御パソコン２５と、制御パソコン２５と接続された管理サーバ部２６とからなる。
【００１９】
ここで、第ｉのリーダアンテナ２ｉａと第ｉのＲＦ−ＩＤリーダ部２ｉ（ｉは、１〜４の整数。）との間の相対位置は問わない。例えば、それらの間の距離の大小は問わない。距離が大きい場合、例えば、同軸ケーブルによって接続される。
【００２０】
同軸ケーブルによって接続される場合、第ｉのリーダアンテナ２ｉａの位置を第ｉのＲＦ−ＩＤリーダ部２ｉの位置に依存せずに設定できる。そのため、後述するように、第ｉのリーダアンテナ２ｉａと、第ｉのＲＦ−ＩＤタグユニット１ｉａとの間の距離を小さくすることが望まれるが、その距離が小さくなるように、第ｉのリーダアンテナ２ｉａの位置を設定することが容易である（ｉは、１〜４の整数。）。
【００２１】
また、包装物確認装置２０は、第２のＲＦ−ＩＤリーダ部２２と、第３のＲＦ−ＩＤリーダ部２３と、第４のＲＦ−ＩＤリーダ部２４とを有さず、第１のＲＦ−ＩＤリーダ部２１と、第ｉのリーダアンテナ２ｉａ（ｉは、１〜４の整数。）とが接続された構成であっても良い。
【００２２】
この構成によって、包装物確認装置２０を構成する要素が減るため、包装物確認装置２０が低価格となる効果が得られる。この構成の場合、第１のＲＦ−ＩＤリーダ部２１は、切り替え用の高周波スイッチを介して、いずれか１つのリーダアンテナと信号の送受を行う。
【００２３】
また、包装物確認装置２０は、リーダアンテナの数より少なく、かつ複数のＲＦ−ＩＤリーダ部を備える構成であっても良い。この場合、少なくとも１つのＲＦ−ＩＤリーダ部は、切り替え用の高周波スイッチを介して、複数のリーダアンテナと信号の送受を行う。
【００２４】
第１のリーダアンテナ２１ａは、包装物１０と、包装物確認装置２０とが包装物確認システムを構成する際に、第１のＲＦ−ＩＤタグユニット１１ａの近隣に位置される。なお、以後、包装物１０を構成するものと、包装物確認装置２０を構成するものとの位置関係を説明する場合、全て、包装物１０と、包装物確認装置２０とが包装物確認システムを構成する際の位置関係である。包装物１０と、包装物確認装置２０とが包装物確認システムを構成しない場合の位置関係は問わない。
【００２５】
図２は、第１のＲＦ−ＩＤタグユニット１１ａの詳細を示すブロック図である。第１のＲＦ−ＩＤタグユニット１１ａは、第１のＲＦ−ＩＤタグ１１ｂと、第１のリーダアンテナ２１ａとの間で電磁波の送受信する第１のタグアンテナ１１ｃとからなる。第１のタグアンテナ１１ｃは、略長方形の形状のループアンテナであり、そのアンテナの両端は、第１のＲＦ−ＩＤタグ１１ｂに接続される。なお、第１のＲＦ−ＩＤタグ１１ｂと、第１のタグアンテナ１１ｃとは、分離不可能に一体成形されていても良い。
【００２６】
第１のタグアンテナ１１ｃは、電磁波の送受信に関して指向性を持つ。その指向性の方向は、第１のリーダアンテナ２１ａの方向を略向くように、第１のＲＦ−ＩＤタグユニット１１ａは、包装箱１１に固定される。
【００２７】
第１のＲＦ−ＩＤタグ１１ｂは、そのタグを一意に識別するタグ識別子を記憶する。そして、第１のタグアンテナ１１ｃが所定のタグ識別子送信要求信号を含む電磁波を受信すると、第１のＲＦ−ＩＤタグ１１ｂは、その受信された電磁波によって発電された電力によって、上記要求に従って、記憶されたタグ識別子を、第１のタグアンテナ１１ｃが受信された電磁波の一部を反射する電磁波に含めて送信させる。
【００２８】
第１のリーダアンテナ２１ａは、略長方形の形状のループアンテナであり、電磁波の送受信に関して指向性を持つ。その指向性の方向は、第１のタグアンテナ１１ｃの方向を略向くように、位置と方向とが決定される。これにより、第１のタグアンテナ１１ｃと、第１のリーダアンテナ２１ａとの間で、効率的な電磁波の送受信が行われる。
【００２９】
なお、上記位置と方向との決定にあたり、所定の範囲の誤差が許容される。その誤差の大きさは、上記指向性と、第１のタグアンテナ１１ｃの指向性とが鋭い程小さく、指向性が鈍い程大きい。
【００３０】
既に説明した、第１のＲＦ−ＩＤタグユニット１１ａが、包装箱１１に固定される際に許容される位置の誤差と、角度の誤差についても同様であり、第１のリーダアンテナ２１ａと、第１のタグアンテナ１１ｃの指向性とが鋭いか否かによって許容範囲が決定される。
【００３１】
次に、包装物１０を構成する物品であって、包装箱１１内に包装される物品を説明する。図３は、包装箱１１内の下部に置かれた物品を示す外観図である。図３では、理解を容易にするため、包装箱１１の上面、手前及び右側の側面の段ボール材の記載を省いてある。包装箱１１内の下部には、包装箱１１を上からみた大きさに略等しい取扱説明書１２が収納されている。なお、取扱説明書１２の大きさが包装箱１１内部の大きさに略等しいため、取扱説明書１２は、包装箱１１内で殆ど移動しない。取扱説明書１２は、包装箱１１内に収納される製品の使用方法が記載された紙製の冊子である。
【００３２】
そして、取扱説明書１２の底部には、第２のＲＦ−ＩＤタグユニット１２ａが固定されている。固定の手段は、第１のＲＦ−ＩＤタグユニット１１ａを固定する手段で説明した通りである。また、必ずしも取扱説明書１２の底部に固定されると限るものではない。例えば、取扱説明書１２は、裏表紙を下に収納されるとして、第１のＲＦ−ＩＤタグユニット１１ａは、裏表紙の表面に固定されても良く、裏表紙の裏面に固定されても良く、裏表紙の内部に固定されても良い。更には、取扱説明書１２のいずれのページの紙に固定されても良い。
【００３３】
第２のＲＦ−ＩＤタグユニット１２ａの詳細は、図２を参照して説明した第１のＲＦ−ＩＤタグユニット１１ａと同じであり、説明を省略する。また、第２のＲＦ−ＩＤタグユニット１２ａの動作は、第１のＲＦ−ＩＤタグユニット１１ａと同じであり、説明を省略する。第２のＲＦ−ＩＤタグユニット１２ａは、そのタグアンテナの指向性の方向が略下方向であるように固定される。
【００３４】
第２のＲＦ−ＩＤタグユニット１２ａの下方に隣接して、第２のリーダアンテナ２２ａが位置される。第２のリーダアンテナ２２ａは、第１のリーダアンテナ２１ａと同様のアンテナであって、説明を省略する。第２のリーダアンテナ２２ａの指向性の方向は、第２のＲＦ−ＩＤタグユニット１２ａの方向を略向くように、第２のリーダアンテナ２２ａは位置される。
【００３５】
なお、図３には、第２のＲＦ−ＩＤタグユニット１２ａは、取扱説明書１２の底部の略中央部に固定されているように図示した。略中央部に固定されると、取扱説明書１２が逆の方向に（１８０度回転が１回または複数回された状態であって、上下が逆、左右が逆、手前と奥が逆の方向であるいずれか、または複数の場合を含む。）包装箱１１に収納された場合であっても、第２のＲＦ−ＩＤタグユニット１２ａのアンテナと、第２のリーダアンテナ２２ａとの間の電磁波の送受信が、取扱説明書１２が逆でなく収納された場合と同様に可能である。
【００３６】
一方、第２のＲＦ−ＩＤタグユニット１２ａは、取扱説明書１２の底部の略中央部以外、例えば、底部である長方形の４つの頂点のいずれかに隣接して固定されても良い。このように固定されると、取扱説明書１２が逆に包装箱１１に収納された場合、第２のＲＦ−ＩＤタグユニット１２ａのアンテナと、第２のリーダアンテナ２２ａとの間の電磁波の送受信が不可能になることによって、後述するように、正しい方向に置かれて包装されていないことが検出可能である。
【００３７】
図４は、包装箱１１内の上部に置かれた物品、即ち、取扱説明書１２の上に置かれた物品を示す外観図である。図４では、理解を容易にするため、包装箱１１の上面、手前及び右側の側面の段ボール材の記載を省いてある。包装箱１１内の上部には、奥に本体１３が、手前にケーブル１４が置かれる。本体１３は、移動通信端末装置の本体である。本体１３の左側には、第３のＲＦ−ＩＤタグユニット１３ａが固定される。固定の手段は、第１のＲＦ−ＩＤタグユニット１１ａを固定する手段で説明した通りであり、本体１３の表面がプラスチック材からなり、そのプラスチック材の外面、内面または内部に固定される。
【００３８】
第３のＲＦ−ＩＤタグユニット１３ａの詳細は、図２を参照して説明した第１のＲＦ−ＩＤタグユニット１１ａと同じであり、説明を省略する。また、第２のＲＦ−ＩＤタグユニット１２ａの動作は、第１のＲＦ−ＩＤタグユニット１１ａと同じであり、説明を省略する。第３のＲＦ−ＩＤタグユニット１３ａは、そのタグアンテナの指向性の方向が略左方向であるように固定される。
【００３９】
第３のＲＦ−ＩＤタグユニット１３ａの左方に隣接して、第３のリーダアンテナ２３ａが位置される。第３のリーダアンテナ２３ａは、第１のリーダアンテナ２１ａと同様のアンテナであって、説明を省略する。第３のリーダアンテナ２３ａの指向性の方向は、第３のＲＦ−ＩＤタグユニット１３ａの方向を略向くように、位置される。
【００４０】
ケーブル１４は、本体１３と、商用電源とを接続するケーブルであって、第４のＲＦ−ＩＤタグユニット１４ａが固定されたコネクタ部１４ｂを有している。なお、ケーブル１４は、その両端にコネクタ（それらのコネクタの中の１つがコネクタ部１４ｂである。）を有し、一方のコネクタには、所定の整流装置（図示せず）を内蔵し、商用電源によって、本体１３に内蔵された充電池（図示せず）を充電するために用いられるケーブルである。
【００４１】
第４のＲＦ−ＩＤタグユニット１４ａの固定の手段は、第１のＲＦ−ＩＤタグユニット１１ａを固定する手段で説明した通りである。コネクタ部１４ｂの表面はプラスチック材であり、そのプラスチップ材の外面、内面または内部に固定される。
【００４２】
第４のＲＦ−ＩＤタグユニット１４ａの詳細は、図２を参照して説明した第１のＲＦ−ＩＤタグユニット１１ａと同じであり、説明を省略する。また、第２のＲＦ−ＩＤタグユニット１２ａの動作は、第１のＲＦ−ＩＤタグユニット１１ａと同じであり、説明を省略する。第４のＲＦ−ＩＤタグユニット１４ａは、そのタグアンテナの指向性の方向が略手前方向であるように固定される。
【００４３】
第４のＲＦ−ＩＤタグユニット１４ａの手前方に隣接して、第４のリーダアンテナ２４ａが位置される。第４のリーダアンテナ２４ａは、第１のリーダアンテナ２１ａと同様のアンテナであって、説明を省略する。第４のリーダアンテナ２４ａの指向性の方向は、第４のＲＦ−ＩＤタグユニット１４ａの方向を略向くように、位置される。
【００４４】
本体１３と、ケーブル１４、特に、そのコネクタ部１４ｂとが包装箱１１内で大きく移動し、または回転する場合、上記説明したタグアンテナの指向性の方向が大きく変化し、それぞれが所定のリーダアンテナとの間で効率的な電磁波の送受信が困難になる。そこで、本体１３と、ケーブル１４、特に、そのコネクタ部１４ｂとを包装箱１１内で固定する。
【００４５】
図５は、本体１３と、ケーブル１４、特に、そのコネクタ部１４ｂとが包装箱１１内の上部に固定されている状況の上部からの外観図を示す。包装箱１１には、例えば、段ボール製の仕切り材１５が収納されている。仕切り材１５の大きさは、包装箱１１と略同じであって、仕切り材１５は、包装箱１１内に挿入されることによって固定される。
【００４６】
そして、仕切り材１５は、本体１３を挿入するための凹みと、ケーブル１４を挿入するための凹みを備えている。更に、ケーブル１４のコネクタ部１４ｂを挿入するための凹部１５ａを備えている。なお、仕切り材１５は、複数の部材が組み立てられており、これらの凹みは、それらの部材を組み立てることによって、部材と部材の間に生成されるとしても良い。
【００４７】
これらの凹みは、それぞれ本体１３と、ケーブル１４と、コネクタ部１４ｂとが所定の方向でのみ挿入される。例えば、本体１３は、突起するアンテナ１３ｂを備えており、異なった方向に挿入を試みると、アンテナ１３ｂを挿入することができない。コネクタ部１４ｂは、方向を誤ると挿入できない形状、例えば、三角形の形状であることにより、または、一部に突起を設けることにより、所定の方向に挿入される。
【００４８】
このように挿入位置及び挿入方向が定められることによって、第３のＲＦ−ＩＤタグユニット１３ａは、包装箱１１の左面近くに位置し、そのタグアンテナの指向性の方向は、略左方向である。そして、第４のＲＦ−ＩＤタグユニット１４ａは、包装箱１１の手前面近くに位置し、そのタグアンテナの指向性の方向は、略手前方向である。
【００４９】
挿入位置及び挿入方向に許容される誤差については、第１のＲＦ−ＩＤタグユニット１１ａが、包装箱１１に固定される際に許容される位置の誤差と、角度の誤差について説明したことと同様であり、説明を省略する。
【００５０】
上記説明した構成によって、第ｉのＲＦ−ＩＤタグユニット１ｉａのアンテナと、第ｉのリーダアンテナ２ｉａとは、それぞれの間で効率的に電磁波の送受信が可能である（ｉは、１〜４の整数。）。
【００５１】
制御パソコン２５は、第ｉのＲＦ−ＩＤリーダ部２ｉを制御して、第ｉのＲＦ−ＩＤタグユニット１ｉａに記憶されたタグの識別子を読み出させる（ｉは、１〜４の整数。）。そして、それらの読み出されたタグの識別子と、管理サーバ部２６に記憶された情報とから、包装物１０は、適切に包装されているか否かを判断する。判断結果は、管理サーバ部２６に記憶させる。
【００５２】
図６は、管理サーバ部２６の詳細な構成を示すブロック図である。管理サーバ部２６は、制御パソコン２５と接続されるデータベース管理部２６ａと、データベース記憶部２６ｂとからなる。データベース記憶部２６ｂには、タグ情報２６ｃと、包装良否情報２６ｄとが記憶される。
【００５３】
データベース管理部２６ａは、データベース記憶部２６ｂに記憶された情報の管理を所定のプログラムによって行う。即ち、その情報を記憶させ、検索し、更新し、更に削除する。
【００５４】
図７に示すタグ情報２６ｃの一例は、タグ識別子２６ｅと、物品名２６ｆと、物品細目２６ｇとが関連付けられた情報からなる。なお、図７では、タグ識別子２６ｅと、物品名２６ｆと、物品細目２６ｇとが隣接して記憶されている、また、複数の関連付けられた情報が隣接して記憶されているように図示されているが、これは、理解を容易にするためであり、記憶される際、これに限るものではない。
【００５５】
タグ識別子２６ｅは、ＲＦ−ＩＤタグに記憶されるタグ識別子である。物品名２６ｆは、包装物１０を構成する物品を識別する情報であって、「包装箱」、「取扱説明書」、「本体」及び「ケーブル」の中のいずれかの情報である。物品細目２６ｇは、物品名２６ｆで識別される物品の属性を示す。
【００５６】
物品細目２６ｇは、物品名２６ｆが「包装箱」または「本体」である場合に記憶され、「バージョン１、白」、「バージョン１、黒」、「バージョン２、白」及び「バージョン２、黒」の中のいずれかの情報であるが、これに限るものではない。物品名２６ｆが「取扱説明書」または「ケーブル」である場合に記憶されても良い。
【００５７】
そして、タグ識別子２６ｅによって一意に識別されるＲＦ−ＩＤタグは、物品名２６ｆ及び物品細目２６ｇによって識別される物品に固定されたことを示す。即ち、図７に示す一例では、タグ識別子２６ｅが「Ａ」であるＲＦ−ＩＤタグは、関連付けられた物品名２６ｆが「包装箱」であり、物品細目２６ｇが「バージョン１、白」であることから、外面が白色であり、バージョン１のソフトウェアが搭載された本体１３を包装するための包装箱１１に固定されていることを示す。
【００５８】
また、タグ識別子２６ｅが「Ｂ」であるＲＦ−ＩＤタグは、関連付けられた物品名２６ｆが「包装箱」であり、物品細目２６ｇが「バージョン１、黒」であることから、外面が黒色であり、バージョン１のソフトウェアが搭載された本体１３を包装するための包装箱１１に固定されていることを示す。
【００５９】
更に、タグ識別子２６ｅが「Ｃ」であるＲＦ−ＩＤタグ及びタグ識別子２６ｅが「Ｄ」であるＲＦ−ＩＤタグは、それぞれ、タグ識別子２６ｅが「Ａ」であるＲＦ−ＩＤタグ及びタグ識別子２６ｅが「Ｂ」であるＲＦ−ＩＤタグと同様であるが、バージョン２のソフトウェアが搭載された本体１３を包装するための包装箱１１に固定されていることを示す。
【００６０】
ここで、包装箱１１に、「包装箱」なる物品名２６ｆに関連付けられた物品細目２６ｇを示す記載があるが、その記載は、誰にでも容易に視認できるように記載されていても良い。また、包装物１０の製造担当者などの特定の者によってのみ視認できるように、記号で記載されていても良い。また、２次元バーコードを含む、バーコードによって記載されていても良い。
【００６１】
ここで、記載は、例えば、包装箱１１への印刷によるが、これに限るものではない。例えば、包装箱１１への手書きによっても良い。また、印刷された紙片の包装箱１１への貼付によっても良い。
【００６２】
なお、包装箱１１に物品細目２６ｇを示す記載があることは、必須ではない。その記載がなければ、包装が適切であるか否かの判断のためには、「包装箱」なる物品名２６ｆに関連付けて物品細目２６ｇが記憶される必要はない。記載がないことは、物品細目２６ｇが如何なる情報であっても、同じ包装箱１１を用いることを意味するからである。
【００６３】
しかしながら、包装箱１１に固定された第１のＲＦ−ＩＤタグユニット１１ａの第１のＲＦ−ＩＤタグ１１ｂの識別子のみを読み出すことによって、包装物１０に含まれる全ての物品の物品細目２６ｇを知るため、上記記載の有無を問わず、包装物１０に含まれる全ての物品の物品細目２６ｇを「包装箱」なる物品名２６ｆに関連付けて記憶されるとしても良い。
【００６４】
なぜなら、包装箱１１に固定された第１のＲＦ−ＩＤタグ１１ｂの識別子の読み出しが最も容易と考えられるからである。特に、第１のＲＦ−ＩＤタグユニット１１ａが包装箱１１の外側に固定されている場合、容易と考えられる。なぜなら、第１のＲＦ−ＩＤタグユニット１１ａと第１のリーダアンテナ２１ａとの距離を小さくすることが容易だからである。
【００６５】
また、例えば、包装箱１１に、本体１３の色のみの記載があり、搭載されたソフトウェアのバージョンの記載がない場合、「包装箱」なる物品名２６ｆに関連付けた物品細目２６ｇには、色情報のみ、即ち、「白」または「黒」のみが記憶されるとしても良い。
【００６６】
なお、物品名２６ｆが「取扱説明書」または「ケーブル」である場合に物品細目２６ｇが記憶される場合、その物品細目２６ｇは、「包装箱」である物品名２６ｆと関連付けられた物品細目２６ｇに記憶されても良く、記憶されなくとも良い。上記説明した、「本体」である物品名２６ｆと関連付けられた物品細目２６ｇを、「包装箱」である物品名２６ｆと関連付けられた物品細目２６ｇに記憶される場合の効果、及び、記憶されない場合の効果を勘案するのと同様の効果の勘案によって決定されれば良い。
【００６７】
更に、タグ識別子２６ｅが「Ｅ」であるＲＦ−ＩＤタグは、関連付けられた物品名２６ｆが「取扱説明書」であることから、取扱説明書１２に固定されていることを示す。また、タグ識別子２６ｅが「Ｆ」であるＲＦ−ＩＤタグは、関連付けられた物品名２６ｆが「本体」であり、物品細目２６ｇが「バージョン２、白」であることから、外面が白色であり、バージョン２のソフトウェアが搭載された本体１３に固定されていることを示す。また、タグ識別子２６ｅが「Ｇ」であるＲＦ−ＩＤタグは、関連付けられた物品名２６ｆが「本体」であり、物品細目２６ｇが「バージョン２、黒」であることから、外面が黒色であり、バージョン２のソフトウェアが搭載された本体１３に固定されていることを示す。
【００６８】
更に、タグ識別子２６ｅが「Ｈ」であるＲＦ−ＩＤタグは、関連付けられた物品名２６ｆが「ケーブル」であることから、ケーブル１４、より詳細には、ケーブル１４のコネクタ部１４ｂに固定されていることを示す。
【００６９】
これらのタグ情報２６ｃは、包装箱１１、取扱説明書１２、本体１３及びケーブル１４が製造された過程で、それぞれの物品にＲＦ−ＩＤタグユニットを固定するＲＦ−ＩＤタグユニット固定装置（図示せず）の指示に従い、そのＲＦ−ＩＤタグユニットのＲＦ−ＩＤタグに記憶されたタグ識別子に基づいて、データベース管理部２６ａが記憶させたものであるがこれに限るものではない。ＲＦ−ＩＤタグユニット固定装置がタグ情報を作成し、そのタグ情報が記憶媒体を介して、または、通信回線を介してデータベース記憶部２６ｂに移されたものでも良い。
【００７０】
図８に示す包装良否情報２６ｄの一例は、タグ識別子２６ｈと、包装良否２６ｉとが関連付けられた情報からなる。なお、図８では、タグ識別子２６ｈと、包装良否２６ｉとが隣接して記憶されている、また、複数の関連付けられた情報が隣接して記憶されているように図示されているが、これは、理解を容易にするためであり、記憶される際、これに限るものではない。
【００７１】
タグ識別子２６ｈは、タグ情報２６ｃに「包装箱」なる物品名２６ｆと関連付けて記憶されたタグ識別子２６ｅである。包装良否２６ｉは、タグ識別子２６ｈによって識別されるＲＦ−ＩＤタグが固定された包装箱１１を含む包装物１０が適切に包装されたか否かを示し、「良」であれば、適切に包装されていることを、「否」であれば、適切に包装されていないことを示す。包装良否情報２６ｄは、後述するように、制御パソコン２５の指示に基づいて、データベース管理部２６ａが記憶させる。
【００７２】
上記のように構成された包装物確認システムにおいて、制御パソコン２５が包装物１０は適切に物品が包装されているか否かを判断する動作を説明する。図９は、制御パソコン２５が包装物１０は適切に物品が包装されているか否かを判断する動作のフローチャートを示す。なお、この動作は、制御パソコン２５内でプログラムが動作することによって行われる。
【００７３】
制御パソコン２５は、包装物１０と、包装物確認装置２０とが所定の相対位置に置かれた際に包装物確認動作を開始し（ステップＳ１０１）、包装物１０と、包装物１０内に包装された全ての物品の確認動作であるか否かを判断する（ステップＳ１０２）。全ての物品の確認動作と判断された場合、全てのＲＦ−ＩＤリーダ部、即ち、第ｉのＲＦ−ＩＤリーダ部２ｉ（ｉは、１〜４の整数。）を一斉に動作させるか否かを判断する（ステップＳ１０３）。
【００７４】
ここで、全ての物品の確認動作によれば、包装物１０は適切に包装されているか否かを正しく判断することができる。しかし、一部の物品についてのみ誤包装の可能性があることが判明している場合、その可能性のある物品のみの確認によって、高速な、また、消費電力が削減された確認動作が可能である。例えば、所定数の物品を用意し、その物品によって所定数の包装物１０が得られた後、ある物品が余った、または不足した場合、この確認動作が有効である。如何なる物品について確認するかは、例えば、制御パソコン２５に備えられた入力装置（図示せず）から入力される。
【００７５】
また、全てのＲＦ−ＩＤリーダ部を一斉に動作させると、処理時間の短縮が得られる。また、順次動作させると、複数のリーダアンテナが同時に電磁波を送受信することがなく、混信の防止が可能である。そのため、包装物１０が特に小さい、または、包装物確認装置２０が特に多くのＲＦ−ＩＤリーダ部を備える場合に効果が顕著である。
【００７６】
また、包装物確認装置２０は、リーダアンテナの数より少ない数のＲＦ−ＩＤリーダ部を備える構成である場合、制御パソコン２５は、ステップＳ１０３で、少なくとも１つのＲＦ−ＩＤリーダ部は、複数のリーダアンテナと順次信号の送受を行うように、ＲＦ−ＩＤリーダ部と、切り替え用の高周波スイッチとを制御する。または、そのスイッチを制御することに代えて、制御パソコン２５に備えられた表示部（図示せず）に、そのスイッチの操作を作業者に促す表示を行う。
【００７７】
ステップＳ１０３で、全てのＲＦ−ＩＤリーダ部を一斉に動作させると判断された場合、制御パソコン２５は、全てのＲＦ−ＩＤリーダ部を一斉に起動して動作させ（ステップＳ１０４）、一斉に動作させないと判断された場合、第ｉのＲＦ−ＩＤリーダ部２ｉ（ｉは、１〜４の整数。）を順次起動して動作させる（ステップＳ１０５）。
【００７８】
ステップＳ１０２で、全ての物品の確認動作でない、即ち、１つであるか複数であるかを問わず、一部の物品の確認動作であると判断された場合、制御パソコン２５は、その一部の物品に対応するＲＦ−ＩＤリーダ部を一斉に、または順次起動して動作させる（ステップＳ１０６）。
【００７９】
ステップＳ１０４ないしステップＳ１０６のいずれかの動作でＲＦ−ＩＤリーダ部を起動して動作させた後、制御パソコン２５は、動作させたＲＦ−ＩＤリーダ部から、読み出されたＲＦ−ＩＤタグの識別子を受信し、全ての動作させたＲＦ−ＩＤリーダ部から識別子が受信されたか否かを判断する（ステップＳ１０７）。
【００８０】
即ち、例えば、ステップＳ１０２で全ての物品の確認動作であると判断された場合、制御パソコン２５は、以下の４つの条件が満たされた場合、全てのＲＦ−ＩＤリーダ部から識別子が受信されたと判断する。第１に、第１のＲＦ−ＩＤリーダ部２１によって読み出されたＲＦ−ＩＤタグの識別子とタグ識別子２６ｅとが等しいことを条件に、管理サーバ部２６にタグ情報２６ｃを検索させ、得られた物品名２６ｆが「包装箱」である。
【００８１】
第２に、第２のＲＦ−ＩＤリーダ部２２によって読み出されたＲＦ−ＩＤタグの識別子とタグ識別子２６ｅとが等しいことを条件に、管理サーバ部２６にタグ情報２６ｃを検索させ、得られた物品名２６ｆが「取扱説明書」である。第３に、第３のＲＦ−ＩＤリーダ部２３によって読み出されたＲＦ−ＩＤタグの識別子とタグ識別子２６ｅとが等しいことを条件に、管理サーバ部２６にタグ情報２６ｃを検索させ、得られた物品名２６ｆが「本体」である。
【００８２】
第４に、第４のＲＦ−ＩＤリーダ部２４によって読み出されたＲＦ−ＩＤタグの識別子とタグ識別子２６ｅとが等しいことを条件に、管理サーバ部２６にタグ情報２６ｃを検索させ、得られた物品名２６ｆが「ケーブル」である。これらの４つの条件が満たされた場合、少なくとも、取扱説明書１２と、本体１３と、ケーブル１４とが包装箱１１によって包装されており、必要な物品が包装されたことが確認される。
【００８３】
ステップＳ１０７で、全ての識別子が受信されたと判断された場合、制御パソコン２５は、本体１３に搭載されたソフトウェアのバージョンと、包装箱１１に記載されたソフトウェアのバージョンが一致しているか否かを判断する（ステップＳ１０８）。即ち、第１のＲＦ−ＩＤリーダ部２１によって読み出されたＲＦ−ＩＤタグの識別子とタグ識別子２６ｅとが等しいことを条件に、管理サーバ部２６にタグ情報２６ｃを検索させ、得られた物品細目２６ｇからバージョン（「バージョン１」または「バージョン２」）を得る。
【００８４】
また、第３のＲＦ−ＩＤリーダ部２３によって読み出されたＲＦ−ＩＤタグの識別子とタグ識別子２６ｅとが等しいことを条件に、管理サーバ部２６にタグ情報２６ｃを検索させ、得られた物品細目２６ｇからバージョン（「バージョン１」または「バージョン２」）を得る。そして、得られたバージョンが等しい場合、一致していると判断し、異なる場合、一致していないと判断する。
【００８５】
バージョンが一致していると判断された場合、制御パソコン２５は、本体１３の色と、包装箱１１に記載された本体１３の色が一致しているか否かを判断する（ステップＳ１０９）。即ち、ステップＳ１０７で管理サーバ部２６に検索させることによって得られた２つの物品細目２６ｇから色（「白」または「黒」）を得て、得られた色が等しい場合、一致していると判断し、異なる場合、一致していないと判断する。
【００８６】
色が一致していると判断された場合、制御パソコン２５は、確認の結果、包装は正しく行われている旨を表示部に表示し（ステップＳ１１０）。更に、管理サーバ部２６に指示して、タグ識別子２６ｈとして第１のＲＦ−ＩＤリーダ部２１によって読み出されたＲＦ−ＩＤタグの識別子、そして、包装良否２６ｉとして「良」なる値が関連づけられた情報を包装良否情報２６ｄに記憶させ（ステップＳ１１１）、確認動作を終了する（ステップＳ１１２）。
【００８７】
なお、ステップＳ１０７で、４つの条件が満たされたか否かを判断する際、制御パソコン２５は、管理サーバ部２６にタグ情報２６ｃを検索させる指示を４回送信し、それぞれについて管理サーバ部２６から検索結果を受信するように説明したが、これは、理解を容易にするためであり、管理サーバ部２６に４つの検索指示を１回で送信し、管理サーバ部２６から検索結果を１回で受信するようにしても良い。また、ステップＳ１０８及びステップＳ１０９で説明した検索は、ステップＳ１０７で説明した検索によって、管理サーバ部２６から物品細目２６ｇを検索結果として受信すれば良く、改めて検索指示を送信しなくとも良い。
【００８８】
ステップＳ１０７で、少なくとも１つのＲＦ−ＩＤリーダ部から識別子が受信されなかったと判断された場合、制御パソコン２５は、識別子が受信されなかった旨を表示部にする（ステップＳ１１３）。この際、いずれの物品に固定されたＲＦ−ＩＤタグに記憶された識別子が受信されなかったかを表示しても良い。
【００８９】
また、ステップＳ１０８でソフトウェアのバージョンが一致していないと判断された場合、制御パソコン２５は、ソフトウェアのバージョンが一致していない旨を表示部に表示する（ステップＳ１１４）。ステップＳ１０９で色が一致していないと判断された場合、制御パソコン２５は、色が一致していない旨を表示部に表示する（ステップＳ１１５）。
【００９０】
ステップＳ１１３ないしステップＳ１１５の動作は、いずれも包装の確認をした包装物１０は、包装が適切に行われていないこと、そして、その包装物１０の包装を解いて物品を確認すべきであることを作業者に報知するためのものである。
【００９１】
なお、上記の説明では、ステップＳ１０７で少なくとも１つのＲＦ−ＩＤリーダ部から識別子が受信されなかったと判断された場合、制御パソコン２５は、ステップＳ１０８のソフトウェアのバージョンが一致しているか否かの判断と、ステップＳ１０９の色が一致しているか否かの判断を行わないとしたが、これに限るものではない。これらの判断を行っても良い。また、ステップＳ１０８で、ソフトウェアのバージョンが一致していないと判断された場合、ステップＳ１０９の色が一致しているか否かの判断を行わないとしたが、これに限るものではない。この判断を行っても良い。
【００９２】
ステップＳ１１３ないしステップＳ１１５の表示動作の後、制御パソコン２５は、管理サーバ部２６に指示して、タグ識別子２６ｈとして第１のＲＦ−ＩＤリーダ部２１によって読み出されたＲＦ−ＩＤタグの識別子、そして、包装良否２６ｉとして「否」なる値が関連づけられた情報を包装良否情報２６ｄに記憶させ（ステップＳ１１６）、確認動作を終了する（ステップＳ１１２）。
【００９３】
なお、ステップＳ１１６で、第１のＲＦ−ＩＤリーダ部２１によってＲＦ−ＩＤタグの識別子が読み出されなかった場合、制御パソコン２５は、その他のＲＦ−ＩＤリーダ部によって読み出された識別子をタグ識別子２６ｈとして記憶させ、かつ、その識別子は、いずれの物品に固定されたＲＦ−ＩＤタグに記憶された識別子であるかをタグ識別子２６ｈの一部として記憶させる。また、識別子が全く受信されなかった場合、所定の情報をタグ識別子２６ｈとして記憶させる。
【００９４】
また、ステップＳ１１６で、原則としてタグ識別子２６ｈとして第１のＲＦ−ＩＤリーダ部２１によって読み出されたＲＦ−ＩＤタグの識別子を記憶させるとしたが、これに限るものではない。所定の物品に固定されたＲＦ−ＩＤタグに記憶された識別子を記憶させるとしても良い。
【００９５】
なお、上記確認動作の際、包装物１０が移動装置によって移動される場合、制御パソコン２５は、移動装置に指示して、包装が適切に行われていないと判断された包装物１０を、包装が適切に行われていると判断された包装物１０とは異なる位置に移動させても良い。
【００９６】
以上の説明で、制御パソコン２５は、上記確認動作を図９にフローチャートを示すプログラムの動作によって行うとしたが、これに限るものではない。例えば、包装物１０を構成する物品の一覧が制御パソコン２５内に、または、管理サーバ部２６内に記憶され、制御パソコン２５は、その記憶された一覧を参照して確認動作を行っても良い。この、一覧が記憶される構成によれば、包装物１０を構成する物品が変更された場合、確認動作を変更することを容易に行うことができる。
【００９７】
以上の説明で、第ｉのリーダアンテナ２ｉａ（ｉは、１〜４の整数。）同士が隣接して位置されていない。また、これらのアンテナの指向性の方向は、略直交している。そのため、これらのアンテナによる電磁波の送受信にあたり、干渉が生じる可能性は低い。なお、直交しているか否かの判断は、既に説明したように、第ｉのリーダアンテナ２ｉａ及び第ｉのＲＦ−ＩＤタグユニット１ｉａのタグアンテナ（ｉは、１〜４の整数。）の指向性が鋭いか鈍いかに依存する。
【００９８】
なお、第１のリーダアンテナ２１ａの指向性の方向と、第３のリーダアンテナ２３ａの指向性の方向とは、平行している。そこで、これらのアンテナの間の距離は大きい。更に、これらのアンテナの間には、本体１３が置かれることによって電磁波の干渉を減じている。なお、距離が大きいか小さいかの判断も、アンテナの指向性が直交しているか否かの判断と同様に、第ｉのリーダアンテナ２ｉａ及び第ｉのＲＦ−ＩＤタグユニット１ｉａのタグアンテナ（ｉは、１〜４の整数。）の指向性が鋭いか鈍いかに依存する。
【００９９】
この本体１３が置かれることによって干渉を減じる効果は、本体１３は金属を含むため、シールド材として動作することによって得られる。なお、包装される物品以外の金属、例えば、アルミホイルを仕切り材１５の適切な位置に固定して、シールド材として動作させても良い。
【０１００】
以上の説明では、第ｉのＲＦ−ＩＤタグユニット１ｉａ（ｉは、１〜４の整数。）のＲＦ−ＩＤタグは、タグの識別子を記憶し、要求に応じて送信するとしたが、これに限るものではない。例えば、その識別子に代えて、または加えて、そのタグユニットが固定される物品を一意に識別する名称（物品名２６ｆに相当する。）を記憶し、要求に応じて送信するとしても良い。
【０１０１】
この場合、物品の製造過程において、物品を識別する名称が、その物品に固定される第ｉのＲＦ−ＩＤタグユニット１ｉａ（ｉは、１〜４の整数。）のＲＦ−ＩＤタグに記憶される。また、この場合、データベース記憶部２６ｂに記憶されるタグ情報２６ｃは、必ずしもタグ識別子２６ｅを含む必要はなく、また、制御パソコン２５は、ステップＳ１０７で、全ての必要な物品が包装物１０に含まれているか否かの判断の際、管理サーバ部２６にタグ情報２６ｃを検索させる必要がない。
【０１０２】
また、第ｉのＲＦ−ＩＤタグユニット１ｉａ（ｉは、１〜４の整数。）のＲＦ−ＩＤタグは、タグの識別子に代えて、または加えて、そのタグユニットが固定される物品を一意に識別する、例えば、製造番号を記憶し、要求に応じて送信するとしても良い。
【０１０３】
この場合、物品の製造過程において、物品の製造番号が、その物品に固定される第ｉのＲＦ−ＩＤタグユニット１ｉａ（ｉは、１〜４の整数。）のＲＦ−ＩＤタグに記憶される。また、この場合、データベース記憶部２６ｂに記憶されるタグ識別子２６ｅ及びタグ識別子２６ｈに代えて、または加えて、上記製造番号が記憶される。
【０１０４】
また、全ての物品に限ることなく、一部の物品、例えば、本体１３に固定される第３のＲＦ−ＩＤタグユニット１３ａのＲＦ−ＩＤタグは、本体１３の製造番号を記憶するとしても良い。この製造番号は、物品細目２６ｇに準じて、「包装箱」である物品名２６ｆに関連付けられた物品細目２６ｇに記憶されるとしても良く、記憶されないとしても良い。
【０１０５】
製造番号が「包装箱」である物品名２６ｆに関連付けられた物品細目２６ｇに記憶される場合、製造番号が包装箱１１に記載されるか否かに係らず、包装箱１１に固定された第１のＲＦ−ＩＤタグユニット１１ａの第１のＲＦ−ＩＤタグ１１ｂに記憶された情報を読み出すことによって、個々の商品の、例えば流通のトレースを容易に行うことができる。
【０１０６】
以上の説明では、包装物１０に含まれる物品は、包装箱１１、取扱説明書１２、本体１３及びケーブル１４としたが、これに限るものではない。例えば、本体１３に取付けて用いられる充電地や、充電台が含まれていても良い。また、仕切り材１５を上記物品に含めても良い。仕切り材１５を上記物品に含めた場合、本体１３及びケーブル１４が挿入された仕切り材１５が逆の方向に（１８０度回転が１回または複数回された状態であって、上下が逆、左右が逆、手前と奥が逆の方向であるいずれか、または複数の場合を含む。）包装箱１１に挿入されたことを検出しても良い。
【０１０７】
即ち、上からの外観では略長方形である仕切り材１５の、例えば、４つの頂点のいずれかに隣接してＲＦ−ＩＤタグユニットを固定する。仕切り材１５が逆に包装箱１１に挿入された場合、このＲＦ−ＩＤタグユニットに記憶されたタグ識別子は、その識別子を読み出すためのリーダアンテナとの距離が大きくなる。その結果、読み出すことができないことによって、逆の方向で挿入されたことが検出可能である。
【０１０８】
なお、充電池は、金属を含むため、充電池に固定されたＲＦ−ＩＤタグユニットのタグアンテナによる電磁波の送受信は、その影響を受ける可能性がある。そこで、その金属をシールド材として動作させても良い。シールド材として動作させるため、その金属と、充電池に固定されたＲＦ−ＩＤタグユニットのタグアンテナとの相対位置が決定されても良い。
【０１０９】
また、充電池は、例えば、充電可能な電力の大小によって複数の種類がある場合、その種類をタグ情報２６ｃの物品細目２６ｇに記憶させる。そして、制御パソコン２５は、適切な種類の充電池が包装されていることを、例えば、図８に示すフローチャートのステップＳ１０９とステップＳ１１０との間で確認する。この確認動作は、例えば、ステップＳ１０９の色の確認動作と同様である。
【０１１０】
以上の説明では、包装箱１１には、第１のＲＦ−ＩＤタグユニット１１ａが固定されるとしたが、これに限るものではない。包装箱１１は、その包装を解くことなく、その表面に記載された情報を光学的に読み取ることができるので、第１のＲＦ−ＩＤタグユニット１１ａに代えて、または、加えて第１のＲＦ−ＩＤタグ１１ｂに記憶される識別子に相当する情報が記載されるとしても良い。また、その識別子がタグ識別子２６ｅであるタグ情報２６ｃの物品細目２６ｇや、上記説明した製造番号などの任意の情報が記載されるとしても良い。
【０１１１】
包装箱１１に第１のＲＦ−ＩＤタグユニット１１ａが固定されない場合、包装物確認装置２０は、第１のリーダアンテナ２１ａ及び第１のＲＦ−ＩＤリーダ部２１を備えない構成で良い。
【０１１２】
これらの情報は、文字として記載されても良く、その場合、包装物確認装置２０には、文字読取部が備えられる。また、これらの記載は、２次元バーコードを含む、バーコードによって記載されても良く、その場合、包装物確認装置２０には、バーコード読取部が備えられる。なお、これらの情報は、視認可能な色で記載されても良く、視認不可能な色で記載されても良い。例えば、紫外光の照射によって、所定の波長の光を発光する特性のインクを用いて記載されても良い。
【０１１３】
以上の説明は、包装箱１１及び仕切り材１５は、段ボール製であるとしたが、これに限るものではない。電磁波を透過する材料で作成されていれば良く、例えば、プラスチック製であっても良い。また、取扱説明書１２は、紙製であるとしたが、同様にプラスチック製であっても良い。なお、取扱説明書１２は、電磁波を透過しない材料で作成されていても良く、その場合、底面（包装箱１１に面する面。）に第２のＲＦ−ＩＤタグユニット１２ａが固定された構造とすれば良い。
【０１１４】
以上の説明は、制御パソコン２５と、管理サーバ部２６とは、別のコンピュータであるとしたが、これに限るものではない。１台のコンピュータ、例えば、制御パソコン２５が両者の機能を持つとしても良い。本発明は以上の構成に限定されるものではなく、種々の変形が可能である。
【図面の簡単な説明】
【０１１５】
【図１】本発明の実施形態に係る包装物及び包装物確認装置からなる包装物確認システムの構成を示すブロック図。
【図２】本発明の実施形態に係る第１のＲＦ−ＩＤタグユニットの詳細な構成を示すブロック図。
【図３】本発明の実施形態に係る包装箱内の下部に置かれた物品を示す外観図。
【図４】本発明の実施形態に係る包装箱内の上部に置かれた物品を示す外観図。
【図５】本発明の実施形態に係る包装箱内の上部からの外観図。
【図６】本発明の実施形態に係る管理サーバ部の詳細な構成を示すブロック図。
【図７】本発明の実施形態に係るタグ情報の一例を示す図。
【図８】本発明の実施形態に係る包装良否情報の一例を示す図。
【図９】本発明の実施形態に係る制御パソコンが包装物は適切に包装されているか否かを判断する動作のフローチャート。
【符号の説明】
【０１１６】
１０  包装物
１１  包装箱
１１ａ  第１のＲＦ−ＩＤタグユニット
１１ｂ  第１のＲＦ−ＩＤタグ
１１ｃ  第１のタグアンテナ
１２  取扱説明書
１２ａ  第２のＲＦ−ＩＤタグユニット
１３  本体
１３ａ  第３のＲＦ−ＩＤタグユニット
１４  ケーブル
１４ａ  第４のＲＦ−ＩＤタグユニット
１４ｂ  コネクタ部
１５  仕切り材
１５ａ  凹部
２０  包装物確認装置
２１  第１のＲＦ−ＩＤリーダ部
２１ａ  第１のリーダアンテナ
２２  第２のＲＦ−ＩＤリーダ部
２２ａ  第２のリーダアンテナ
２３  第３のＲＦ−ＩＤリーダ部
２３ａ  第３のリーダアンテナ
２４  第４のＲＦ−ＩＤリーダ部
２４ａ  第４のリーダアンテナ
２５  制御パソコン
２６  管理サーバ部
２６ａ  データベース管理部
２６ｂ  データベース記憶部
２６ｃ  タグ情報
２６ｄ  包装良否情報
２６ｅ、２６ｈ  タグ識別子
２６ｆ  物品名
２６ｇ  物品細目
２６ｉ  包装良否
【図１】
2008201447.tif 000003
【図２】
2008201447.tif 000004
【図３】
2008201447.tif 000005
【図４】
2008201447.tif 000006
【図５】
2008201447.tif 000007
【図６】
2008201447.tif 000008
【図７】
2008201447.tif 000009
【図８】
2008201447.tif 000010
【図９】
2008201447.tif 000011